(57)【要約】      （修正有）【課題】添加剤、界面活性剤等を混入させず、水を高い比率で基油と混合し、着火性、燃焼安定性、発熱量、燃焼効率、省エネルギー効果に優れた燃料及び該燃料を低価格、低維持費、低設置面積で生成し燃焼装置に供給する方法の提供。【解決手段】主要装置は、第１混合油生成装置２と第２混合油生成装置３であり、水と基油（ガソリン・重油・軽油・灯油・廃油）を水５０〜７０％、基油５０〜３０％の比率で混合し、筐体内の空気圧力を−０．１〜＋１．０ＭＰａに維持しながら運転し、且つ筐体内の磁場力を２００〜４００ガロンに維持し、赤外線装置を用いて、筐体内に５〜７μ及び２０μ以上の波長を照射することで水は０．２８〜１０ナノメートルの粒子水、基油は１０〜５０ナノメートルの粒径となり、水と基油の双方は分子化されてガス化と同様の気体状態化され、混合精度９０〜１００％の混合油を生成することが可能になることを特徴とする混合燃料生成装置。【選択図】図１
2020117674.tif 000002
【特許請求の範囲】
【請求項１】
本発明装置は添加剤・界面活性剤等を一切使用しない、ナノ水と基油の混合燃料生成装置である。混合比率は、ナノ水（５０〜７０％）と基油（ガソリン・重油・軽油・灯油・廃油）は、３０〜５０％の混合比率である。混合燃料としての品質は規格（ＪＩＳ）を上回る値が得られることが確認された。発明の効果［００１３］と［００１４］を参照。
図１装置概念図▲１▼は、本発明のナノ水と基油の混合燃料生成装置を構成する全体を示している。該、主要装置は、第１混合油生成装置▲２▼と第２混合油生成装置▲３▼である。上記の各々の役割について、第１混合油生成装置▲２▼は、ワンパス運転において混合油の生成精度が９０％位であるため、残りの１０％程度の混合油を１００％の生成精度にすることを目的に、第２混合油生成装置▲３▼を用いて行う。
第１混合油生成装置▲２▼の機能的概要は、筐体（ステンレス）、基油ポンプ▲１８▼、給水ポンプ▲１１▼、ナノ水特殊生成装置▲２１▼−１．２．３．４．５．６、基油ナノ化特殊生成装置▲２２▼−１．２．３．４．５．６、空気ポンプ▲２３▼▲２４▼、赤外線装置▲２５▼▲２６▼、磁場発生装置▲２７▼、混合油循環ポンプ▲２８▼、混合油層流安定装置５０、生成混合油貯留タンク５０等を形成して構築しているのが特徴である。
第１混合油生成装置▲２▼の動作概要１．は、本装置に使用される水▲４▼と基油▲１２▼は、ポンプ▲１１▼▲１８▼によって加圧されて第１混合油生成装置▲２▼の、基油ナノ化特殊生成装置▲２１▼−１．２．３．４．５．６．及び、ナノ水特殊生成装置▲２２▼−１．２．３．４．５．６に送られる。そして、水はナノ化された粒径０．２８〜１０ナノメートルの粒子水となる、及び、基油は１０〜５０ナノメートルの粒径となる。水と基油の双方は分子化されてガス化と同様の気体状態化されることになる。これらのことが、本発明の特徴である。
また、第１混合油生成装置▲２▼の該筐体内の空気圧力を空気ポンプ▲２３▼▲２４▼．を使用して−０．１〜＋１．０メガパスカルの空気圧力に維持しながら可変変動しながら運転する。且つ、筐体内の、磁場力を２００〜４００ガロンに磁場発生装置▲２７▼を用いて維持する。また、赤外線装置▲２５▼▲２６▼を用いて、筐体内を５〜７μ及び２０μ以上の波長を照射する。該筐体内の空気圧力、赤外線照射、磁場力の三つの各々の各条件を満たした状態にして、水はナノ化された０．２８〜１０ナノメートル粒子水となる、及び、基油は１０〜５０ナノメートル粒径となり双方は、筐体内において分子化されガス化同様の気体状態となる。ナノ化された、ナノ水と基油は、凝集吸着運動を起しながら、そしてイオン化結合により、混合精度９０〜１００％の混合油を生成することが可能になることが、本発明の特徴である。残りの混合精度０〜１０％程度の混合油を１００％の生成精度にすることを目的に、第２混合油生成装置▲３▼を用いて行う。
次に、第１混合油生成装置▲２▼の２番目の動作的機能として、第１混合油生成装置▲２▼の筐体底部から、混合油循環配▲２９▼を取り出し、混合油循環ポンプ▲２８▼にて配管内の圧力を４〜５ｍｐａに高めて第１混合油生成装置▲２▼の筐体内の第１混合油層流安定装置▲３０▼に送られる。これらによって生成された混合油は、ナノ化された粒径１０〜５０ナノメートルの粒子となる。以上のことから、生成過程の混合油はこれらの装置により更に純度の高い混合油が生成されることになる。
本発明の特徴は、第１混合油生成装置▲２▼と第２混合油生成装置▲３▼の組合せにより、混合比率が、ナノ水（５０〜７０％）と基油（ガソリン・重油・軽油・灯油・廃油）は、３０〜５０％の混合比率の純度の高い混合燃料を生成することが可能になった装置を特徴とする。品質は規格（ＪＩＳ）を上回る値が得られることが確認された。
【請求項２】
本発明の、第２混合油生成装置▲３▼の機能的概要は、筐体（ステンレス）、混合油ポンプ▲３６▼、第２基油ポンプ▲４２▼、第２循環ポンプ▲４６▼、第２基油タンク▲４４▼、第２空気ポンプ▲３９▼▲４０▼、第２赤外線装置５１、第２磁場発生装置▲４１▼、第２混合油特殊生成装置▲３７▼−１．２、第２基油特殊生成装置▲３８▼−１．２、等は、混合生成純度１００％を達成するために必要なシステムを形成して構築しているのが特徴である。
第２混合油生成装置▲３▼の動作概要１．は、本装置に使用される第２混合油配管▲３５▼は、第１混合油生成装置▲２▼の底部から取り出し、第２混合油ポンプ▲３６▼にて配管内圧力を４〜５ｍｐａに高め第２混合油生成装置▲３▼の筐体内の第２混合油特殊生成装置▲３７▼−１．２に送られる。これらによって生成された基油はナノ化された粒径１０〜５０ナノメートルの粒子となる。動作概要２．は、同時に基油の補給を行う、第２基油タンク▲４４▼に貯留し、第２基油配管▲４３▼を経由して第２基油ポンプ▲４２▼にて配管内圧力を４〜５ｍｐａに高めて、第２基油特殊生成装置▲３８▼に送られる。これらによって生成された基油はナノ化された粒径１０〜５０ナノメートルの粒子となる。動作概要３．は、第２混合油生成装置▲３▼の該筐体内の空気圧力を空気ポンプ▲３９▼▲４０▼．を使用して−０．１〜＋１．０メガパスカルの空気圧力に可変変動しながら運転する。且つ、筐体内の、磁場力を２００〜４００ガロンに磁場発生装置▲４１▼を用いて維持する。また、赤外線装置▲４０▼を用いて、筐体内を５〜７μ及び２０μ以上の波長を照射する。
以上の動作概要の三つについて、一つ目と二つ目は該筐体内を基油と混合油をナノ化状態にする。三つ目は筐体内の空気圧力、赤外線照射、磁場力の各々の設定条件を満たした状態にする。
以上の三つの条件が得られることにより、筐体内において分子化されたガス化同様の気体状態となる。ナノ化された基油と混合油は凝集吸着運動を起しながら、そしてイオン化結合により、混合精度１００％の混合油を生成することが可能になることが本発明の特徴である。
【請求項３】
本発明は、現在世界は今、脱炭素が加速度的に進んでいる。燃焼装置に必要な石油・石炭・ＬＮＧ等のエネルギー資源が枯渇する危機と、その総量抑制を喫緊に迫られている環境下で燃焼装置の効率を大幅に改善出来る仕組みが今日求められている。それは基油（ガソリン・灯油・軽油・重油・廃油）の液体燃料に、添加剤等を一切使用しない、水溶液（１００％水）のみのナノ水との混合により生成された、混合比率は水が５０〜７０％、基油が５０〜３０％と従来技術とは混合比率に大きな違いがある。それは、従来の混合技術と全く異なるナノテクノロジー技術方法による混合技術である。新燃料を燃焼装置に供給する装置を提供する。且つ使用燃料の大幅削減効果（削減▲７０〜５０％）と排ガスである二酸化炭素・ＳＯＸ・ＮＯＸが▲５０〜７０％に大幅に削減する。又本発明のナノ水と基油の混合燃料生成装置は総合的にエネルギー革命を担うトータルの機能を持っている。そのシステム装置を提供するものである。需要先は火力発電所・化学工場・機械工場・製紙関連工場・鉄鋼プラント・船舶エンジン・自動車・交通車輌・発電機・土木工事現場・農業用ボイラー・汎用ボイラー・灯油焚き冷暖房給湯器等々がある。また本装置は既に存在し、開発製造販売されているエマルジョン装置に比較し、装置機器サイズ・イニシャルコスト・維持費等が１／２〜１／３以下と格段に安く、そして水のみによる安心・安全である。総合的に本装置は従来機器と比較し、格段に改善されていることが
大きな特徴である。本装置は国内と全世界に大きなニーズがあると考える
【請求項４】
本発明は、第１、第２混合油生成装置の水と基油の混合比率は、水が５０〜７０％、基油が５０〜３０％と高品質の混合油が生成出来ること、及び、従来の混合技術とは大きく異なるナノテクノロジー技術による混合生成技術である。その高い混合比率を可能にするのは、第１、第２混合油生成装置の該筐体内の、▲１▼は、基油と水をナノ化しガス化するナノテクノロジー技術、▲２▼は、圧力を可変変動する技術、▲３▼は、磁場力を維持する技術、▲４▼は、赤外線波長の照射技術等を総合的に組合せたナノテクノロジー技術である。
筐体構造は、混合油の生成品質を高めるのには円筒型形状が適正である、また、材質においては、ステンレス製、及び、仕上げの精度は２Ｂレベルが必要である。
【発明の詳細な説明】
【技術分野】
【０００１】本発明は、ナノ水（０．２８〜１０ナノメートル粒径水）と基油（ガソリン・重油・軽油・灯油・廃油）を混合生成する方法。及びこの方法を実現するための混合燃料生成装置に関する。
【背景技術】
【０００２】本発明は、多くの産業の必需品である燃焼装置に使用される基油（ガソリン・重油・軽油・灯油・廃油）の使用量を半減化できる装置である。現在世界は、脱炭素化を加速度的に進め、及び、ＣＯ２削減対策とイノベーション技術の商品化に急速に取り組んでいる。燃料削減対策は喫緊の大きな課題である。
全産業の燃焼装置は（火力発電所・自動車・船舶エンジン・発電機・暖房ボイラー・農業用施設・冷暖房給湯器）等々がある。【０００２】本来、お互いに混ざり合わない水と油を乳化物として混合し取扱う技術は化粧品開発・製造のみならず、食品、インク、医薬品、化学工学、など広範な産業分野で利用されている大変重要な基盤技術である。最近では油滴サイズを２０〜２００ｎｍ程度にまで超微細化したナノエマルジョン技術が注目を集めている。油滴サイズのナノ化に伴って、通常のエマルジョンには見られない様々な新規性が現れるためである。例えば通常のエマルジョンは牛乳のように白濁化しているのに対し、ナノエマルジョンは透明或いは半透明である。また油滴サイズの小ささを活かして、肌への浸透性を高めた機能性化粧品、ドラッグデリーバリーシステムでの薬物キャリア、ナノ材料合成のためのリアクターなど、エマルジョンの新たな用途も生まれようとしている。【０００３】通常の乳化は「トップダウン」プロセスであり、水／油／乳化剤の混合物に攪拌や超音波照射等によって外部からエネルギーを加え、粗大油滴を繰り返し引きちぎって微小油滴を生成する。この際外部から加えたエネルギーが油滴内部と外部の圧力差に勝ったときに油滴の微細化が進行する。ところが、プラス圧は油滴サイズに反比例するため、サイズの低下と共に油滴の更なる微細化は困難となっていく。一方、ナノサイズの個体粒子（ナノ粒子）の製造では、粒子を構成する原子あるいは分子の自己組織化を利用してボトムアップで合成するのが一般的である。ナノサイズの液滴の調製でも、当然ボトムアップの方が好ましいと考えられる。【０００４】水と油は混合しない状態を簡単に説明します。分子論的には、単体の液体とは、同じ種類の分子間に働く分子間力（水の場合は水素結合の双極子双子相互作用、油の場合はファンデルワールス力という）で水と油で相互に引き合うエネルギーが分子の熱運動エネルギーより大きい場合を言う。例えば、水と油を混ぜた場合には、水は極性が高い分子であり、油は極性が低分子で水素結合もしない。あまりにもかけ離れた性質を持つので水と油の両分子間には引力はほとんどありません。一方、水分子同士、油分子同士は強く引き合うので、結合しそれぞれ一つにまとまって行きます。故に最終的には分離してしまう。比重の大きさは本質ではない。液と液を抽出した時に有機層がどちらに分離するかで結合がきまる。【０００５】水が燃えるについて、水素と酸素にはそれぞれ原子波動があって，いくつかの分子が集まると、共鳴して物性波をだす。そして水の振動数（共鳴数）を確定する。ある種のイオン係数を当てて共鳴させ、シンフォニーを生む様な形にすると、簡単に水が水素と酸素に分離する。磁気共鳴を使って、水と酸素を分離する、相移転ができる。従来の考え方は、水は普通に熱を加えるとすると４３００度で熱解離し、水素と酸素に分かれると言われているが現在３８０度で水素と酸素の熱解離が実現した。そして水が燃えることができる。【０００６】基油の燃焼について、炎の中の炎は、燃料と空気中の酸素との化学反応である。基油と空気中の水分の水素は、２Ｈ２＋Ｏ２→２Ｈ２Ｏである、しかしこの反応は全体として成り立っている物であって「総括反応」と呼ばれている。この中で実際にこの反応が起きているわけではない。実際の燃焼中の基油成分及び空気中成分の燃焼現象理論は成立していない、それぞれの学者は百家争鳴であるのが実際のところである。しかし水素の場合は簡単なので例にあげる。他は完全に分かって言えるわけではない。高温になるとＨ２、Ｏ２分子は存在できなくなり、結合が外れてＨ、Ｈ、Ｏ、Ｏ原子に勝手に動きだす、そしてエネルギーが与えられて分解する。全部がそうなるわけではなく、一部が化学的に活性な種が出来ることが重要である。それらは分子に戻ろうとする性質がある、その動きはエネルギーを必要としない。例えば、酸素と水素が存在すると、Ｏ２＋Ｈ→ＯＨ＋Ｏが反応して、一つの活性種が（ＯＨ、Ｏ）が形成される。この反応は「総括反応」にたいして「素反応」という。一つの活性種から二つの活性種がうまれ、「連鎖分岐反応」と呼んでネズミ算式に活性種が増えてくる。これはエネルギーを必要としない。このような活性腫同士が再び結合する時は、大きな発熱を伴うので、火炎は高温になる。Ｈが１ｇあたり、約１２０キロカロリーの熱を放出する。水素と酸素の反応は、約２０個程度の素反応から成り立っている。【０００７】現状の技術について、エマルジョン燃料（ガソリン・重油・灯油・軽油・廃油）は水と界面活性剤や乳化剤を添加し撹拌・混合させ乳化させた燃料である。液中の粒子が瞬時にミクロ爆発し油粒子を微細化、飛散させることで酸素との接触面を大きくし、完全燃焼する。
これにより二酸化炭素や窒素酸化物、粒子状物質の発生を抑え内燃機関が排出するガスがもたらす環境負荷を低減する効果がある。これらの乳化された燃料の外見は乳化して白濁した液体である。水粒子を油の膜層が界面活性剤を介在しているのですぐには分離しない。
Ａ重油と水を混合したエマルジョン燃料であればＡ重油の成分を含んだエマルジョン燃料になり、軽油であれば軽油の性質、灯油であれば灯油の性質、というようにエマルジョン燃料の性質は水と混合する燃料によって異なる。【０００８】現在国内にて使用されているエマルジョン燃料の課題について、全てのエマルジョン燃料は、界面活性剤、若しくは乳化剤を使用し、油と混合させる装置を生産販売している。課題は混合比率が油の方が圧倒的に高く、完全に乳化しにくい、着火しにくい、燃焼にむらがあり安定しない、発熱量が低く且つ燃焼効率も低い、省エネルギー効果が低い、製品価格が高い、維持費が高い、設置面積が大きい等の課題がある。維持費が高いのは、界面活性剤の高コストが影響しており導入先の顧客のメリットは１０％前後である。これでは、社会に拡大されない大きな要因であると考える。【０００９】新聞記事によると、重油を最大４０％削減する技術、又、簡単な装置で水のみと油を混合し５０％削減する、また、水をナノ化し、水素イオン化・炭酸イオン化の実現による超微細化された液体を開発したという、しかし報道記事には、特殊な活性剤が使用していると記載されている。水の比率を７０％にした燃料が開発されたと報道されている。しかし上記の技術は、水と油を微細化する技術は液中にて行われていると考える。液中において空気中の約１９倍の抵抗損失があり、ナノ化することは難しいと考える。上記会社の何れも装置が大きいことが課題である、それは、例えば既存の燃焼装置と同等の面積が必要であること及びコストが非常に高い設定であることも大きな課題であると考える。
【先行技術文献】
【特許文献１】特許第５１０２２２４６号
【非特許文献１】深井環境総合研究所  ＦＵＫＡＩエマルジョンの開発
【非特許文献２】ｅｎｅｃｏ  ｈｏｌｄｉｎｇｓ  プラズマフユージョンの開発
【非特許文献３】水を燃やす技術  倉田大綱著
【非特許文献４】小西克亭著  燃焼の理論入門  埼玉工業大学
【非特許文献５】新岡喬著  燃える理論
【発明の概要】
【発明が解決しようとする課題】
【００１０】本発明は、以上のような従来の欠点に鑑み、最大の課題である「界面活性剤等を使用しない混合技術」「イニシャル＆ランニングコストが低価格」「燃料が、５０〜７０％削減技術」の３点である。ナノ水（０．２８〜１０ナノメートル粒径水）と基油（ガソリン・重油・軽油・灯油・廃油）を混合生成する方法。及びこの方法を実現するための混合生成装置に関する。本装置を提供することを目的としている。【００１１】現在国内にて使用されているエマルジョン燃料の課題について、全ての会社の上記燃料には、界面活性剤、若しくは乳化剤を使用し、油と混合させる装置を生産販売している。課題は混合比率が油の方が圧倒的に高く（８０％）、完全に乳化しにくい、着火しにくい、燃焼にむらがあり安定しない、発熱量が低く且つ燃焼効率も低い、省エネルギー効果が低い、製品価格が高い、維持費が高い、設置面積が大きい等の課題がある。維持費が高いのは、界面活性剤の高コストが影響しており装置導入先の顧客のメリットは１０％前後である。これでは、社会に拡大されない大きな要因であると考える。本発明は、従来の混合技術と全く異なる方法である。それは、地球上のナノ化された水の特性を合理的に構築した技術である。
【課題を解決するための手段】
【００１２】上記目的を達成するために、本発明装置は、地球における対流圏の約５０００〜１００００ｍの高さにおけるエアロゾルの特徴を使用している。それは、粉塵微細粒子と水の微細粒子水が激しく動き、そして、凝集・吸着運動を起こしている。以上のような、自然界の仕組みを応用した装置である。加圧された基油と水は、該筐体の混合燃料生成装置の特殊生成装置に送り出し該特殊生成装置により、水はナノ化された０．２８〜１０ナノメートル粒子水となる、及び、基油は１０〜５０ナノメートル粒径となり双方は分子化され気体状態となる。また、該筐体の混合生成装置は、圧力を−０．１〜１．０メガパスカルと変動可変しつつ、そして磁場力を２００〜４００ガロンを維持する。また、赤外線５〜７μ及び２０μ以上の波長を筐体内に照射する。そして、純度の高い混合油を生成することが可能になる。【００１３】本発明装置は、第１・第２混合油生成装置は、ナノ水特殊生成装置、基油ナノ化特殊生成装置、空気ポンプ、赤外線照射装置、磁場発生装置を形成し構築している。
また、第１・第２混合油生成装置に接続される給水と基油は、給水タンク、基油タンク、ポンプ、塩素除去装置、磁場発生装置、フィルター等を形成して装置を構築している。
【発明の効果】
【００１４】以上の説明から明らかなように、本発明装置の混合油生成装置によって生成されるナノ水とＡ重油混合燃料（混合比率５０％と５０％）にあっては次に列挙する効果が得られた。
１．以上の説明から明らかなように、本発明によって生成される混合油は、次に列挙        する結果が得られる。
2020117674.tif 000003
2020117674.tif 000004
【００１５】本発明装置の混合油生成装置によって生成されるナノ水とＡ重油混合燃料（混合比率５０％と５０％）にあっては次に列挙する効果が得られる。
本発明の生成装置で生成された、新燃料の燃焼計量分析の測定値を得ることができた。
環境試験結果（Ａ重油１種１・２号）当社実験室のボイラーの燃焼時の測定結果を下記に示す。
１．窒素酸化物ＮＯＸ（ｐｐｍ）基油１００％→８４ｐｐｍ・基油５０％＋水５０％→３８ｐｐｍ差▲４６ｐｐｍ
２．硫黄酸化物ＳＯＸ（ｐｐｍ）基油１００％→３５ｐｐｍ・基油５０％＋水５０％→３ｐｐｍ差▲３２ｐｐｍ
３．二酸化炭素ＣＯ２（ｐｐｍ）基油１００％→１５ｐｐｍ・基油５０％＋水５０％→５ｐｐｍ差▲１０ｐｐｍ
上記、新燃料の排ガスＮＯＸ・ＳＯＸ・ＣＯ２の測定データ―を得られた。【００１６】本発明のナノ水と基油の混合燃料生成装置を構成する各装置は、機能毎にユニット化していることが特徴である。それは、設置現場において容易に且つ、簡単に組み立てることが出来る。及び、移動設置をすることも可能になるので、例えば、大型工事現場にて発電機等の需要先に対して、必要に応じて移動することが可能になった。
【図面の簡単な説明】
【００１７】
【図１】  本発明を実施するための最良の第１の形態の図１装置概要図である。
【図２】  ナノ水の粒度分布
【図３】  基油の粒度分布
【発明を実施するための形態】
【００１８】    以下、本発明の実施の形態を図面に基づき実施例に沿って説明する。
【実施例１】
【００１９】図１は、本発明のナノ水と基油の混合燃料生成装置を構成する全体を示している。
該、ナノ水と基油の混合燃料生成装置の主要装置は、第１混合油生成装置２．と第２混合油生成装置３．である。上記の各々の役割について、第１混合油生成装置は、ワンパス運転において混合油の生成精度が９０％位である。残りの１０％程度の混合油を１００％の生成精度に維持することを目的に、第２混合油生成装置を用いて行う。第１混合油生成装置２．の概要は、本装置に使用される水４．と基油１２．は、ポンプ１１．１８．によって加圧されて第１・第２の基油ナノ化特殊生成装置  １．２．３．４．５．６．及び、ナノ水特殊生成装置  １．２．３．４．５．６に送られる。水はナノ化された粒径０．２８〜１０ナノメートルの粒子水となる、及び、基油は１０〜５０ナノメートルの粒径となる。双方は分子化されガス化と同様の気体状態化されることになる。
【実施例２】
【００２０】本発明の、該筐体の第１混合油生成装置２．の該筐体内の▲１▼、空気圧力を第２空気ポンプ２３．２４．を使用して−０．１〜＋１．０メガパスカルの圧力を可変変動しながら運転する。且つ、筐体内の▲２▼、磁場力を２００〜４００ガロンを維持するのに磁場発生装置２７．を用いて行う。また、▲３▼、赤外線装置２５．２６．を用いて、筐体内を５〜７μ及び２０μ以上の波長を照射する。該筐体内の▲１▼圧力、▲２▼赤外線照射、▲３▼磁場力の三つの各々の各条件を満たした状態にして、水はナノ化された０．２８〜１０ナノメートル粒子水となる、及び、基油は１０〜５０ナノメートル粒径となり双方は、筐体内において分子化されガス化同様の気体状態となる。それにより純度の高い混合油を生成することが可能になる。
【実施例３】
【００２１】本発明の、第１混合油生成装置２内にて、水はナノ化された０．２８〜１０ナノメートル粒子水となる、及び、基油は１０〜５０ナノメートル粒径となり双方は、筐体内において分子化されガス化同様の気体状態となる。それにより、混合油を生成することが可能になる。該筐体内に混合油の生成の過程の混合油を、更に混合生成純度を高めるために該筐体の底部から混合油循環配管２９を取り出し、混合油循環ポンプ２８．にて配管の圧力を４〜５ｍｐａに高めて第１混合油生成装置２の筐体内の第２混合油層流安定装置３０．に送られる。混合油はナノ化された粒径１０〜５０ナノメートルの粒子となる。以上から、生成過程の混合油はこれらの装置により更に純度の高い混合油が生成されることになる。
【実施例４】
【００２２】本発明の、該筐体の第１混合油生成装置２．に使用される水は、給水入口４、水フィルター５−１、給水タンク７、を経た給水管６．は水フィルター８−２、給水量メーター９、給水磁気装置１０−１、給水ポンプ１０を経由し第１混合油生成装置２に送り出す。基油は、基油入口１２、基油フィルター１３−１、基油タンク１４、を経た基油管２０は、基油フィルター１３−１、基油量メーター１６、基油磁気装置１７−１、基油ポンプ１８を経由し第１混合油生成装置２に送り出す。
【実施例５】
【００２３】第２混合油生成装置３．の概要は、第１混合油生成装置２の筐体の底部から取り出された、第２混合油配管３５．を経て、第２混合油ポンプ３６にて圧力を１０〜１２ｍｐａに高め、第２混合油生成装置３．の第２混合油特殊生成装置１．２．に送られる。基油は、第２基油タンク４４．に貯蔵された基油は、第２基油配管４３．を経て第２基油ポンプ４２．にて圧力を１０〜１２ｍｐａに高めて、第２基油特殊生成装置３８．に送られる。そして、該筐体内にて、第２混合油はナノ化された０．２８〜１０ナノメートル粒子水となる、及び、基油は１０〜５０ナノメートル粒径となり双方は分子化されガス化若しくは気体状態となる。それにより純度の高い混合油を生成することが可能になる。
【実施例６】
【００２４】本発明の、第２混合油生成装置３．の概要は、該筐体内の▲１▼、空気圧力を空気ポンプ３９．４０．を使用して−０．１〜＋１．０メガパスカルの圧力を可変変動しながら運転する。且つ、筐体内の▲２▼、磁場力を２００〜４００ガロンを維持するのに第２磁場発生装置４１．を用いて行う。また、▲３▼、第２赤外線装置５１を用いて、筐体内を５〜７μ及び、２０μ以上の波長を照射する。該筐体内の▲１▼圧力変動、▲２▼赤外線照射力、▲３▼磁場力の三つの各々の各条件を満たした状態にして、水はナノ化された０．２８〜１０ナノメートル粒子水となる、及び、基油は１０〜５０ナノメートル粒径となり双方は、筐体内において分子化されガス化同様の気体状態となる。それにより純度の高い混合油を生成することが可能になる。
【実施例７】
【００２５】本発明は、第２混合油生成装置３内にて、該筐体内に混合油の生成の過程の混合油を、更に混合生成純度を高めるために該筐体の底部から第２循環配管４５を取り出し、第２循環ポンプ４６．にて配管の圧力を４〜５ｍｐａに高め第２混合油生成装置３の筐体内の第２混合油層流安定装置５２に送られる。混合油はナノ化された粒径１０〜５０ナノメートルの粒子となる。以上から、生成過程の混合油はこれらの装置により更に純度の高い混合油が生成されることになる。
【実施例８】
【００２６】本発明は、第１、第２混合油生成装置の水と基油の混合比率は、水が５０〜７０％、基油が５０〜３０％と高品質の混合油が生成出来ること、及び、従来の混合技術とは大きく異なるナノテクノロジー技術による混合生成技術である。その高い混合比率を可能にするのは、第１、第２混合油生成装置の該筐体内の、▲１▼は、基油と水をナノ化しガス化するナノテクノロジー技術、▲２▼は、圧力を可変変動する技術、▲３▼は、磁場力を維持する技術、▲４▼は、赤外線波長の照射技術等を総合的に組合せたナノテクノロジー技術である。
筐体構造は、混合油の生成品質を高めるのには円筒型形状が適正である、また、材質においては、ステンレス製、及び、仕上げの精度は２Ｂレベルが必要である。
【産業上の利用可能性】
【００２７】本発明は、現在世界は今、脱炭素が加速度的に進んでいる。燃焼装置に必要な石油・石炭・ＬＮＧ等のエネルギー資源が枯渇する危機と、その総量抑制を喫緊に迫られている環境下で燃焼装置の効率を大幅に改善出来る仕組みが今日求められている。それは基油（ガソリン・灯油・軽油・重油・廃油）の液体燃料に、添加剤等を一切使用しない、水溶液（１００％水）のみのナノ水との混合により生成された、混合比率は水が５０〜７０％、基油が５０〜３０％と従来技術とは混合比率に大きな違いがある。それは、従来の混合技術と全く異なる方法による混合技術である。新燃料を燃焼装置に供給する装置を提供する。且つ使用燃料の大幅削減効果と排ガスである二酸化炭素・ＳＯＸ・ＮＯＸが大幅に削減される。又本発明のナノ水と基油の混合燃料生成装置は総合的にエネルギー革命を担うトータルの機能を持っている。そのシステム装置を提供するものである。需要先は火力発電所・化学工場・製紙関連工場・鉄鋼プラント・船舶エンジン・発電機・土木工事現場・農業用ボイラー・汎用ボイラー・灯油焚き冷暖房給湯器等々がある。また本装置は既に存在し、開発製造販売されているエマルジョン装置に比較し、装置機器サイズ・イニシャルコスト・維持費等が格段に安く、そして水のみによる安心・安全である。総合的に本装置は従来機器と比較し、格段に改善されていることが
大きな特徴である。本装置は国内と全世界に大きなニーズがあると考える。
【符号の説明】    ▲１▼  図１  装置概念図
▲２▼  第１混合油生成装置
▲３▼  第２混合油生成装置
▲４▼  給水入口
▲５▼  水フィルター  １
▲６▼  給水管  １
▲７▼  給水タンク
▲８▼  水フィルター  ２．
▲９▼  給水量メーター
▲１０▼  給水磁気装置  １．
▲１１▼  給水ポンプ
▲１２▼  基油入口
▲１３▼  基油フィルター  １．
▲１４▼  基油タンク
▲１５▼  基油フィルター−２．
▲１６▼  基油量メーター
▲１７▼  基油磁気装置−１
▲１８▼  基油ポンプ
▲１９▼  給水管
▲２０▼  基油管
▲２１▼  ナノ水特殊生成装置−１．２．３．４．５．６．
▲２２▼  基油ナノ化特殊生成装置−１．２．３．４．５．６．
▲２３▼  空気ポンプ  −１．
▲２４▼  空気ポンプ  −２．
▲２５▼  赤外線装置
▲２６▼  赤外線装置
▲２７▼  磁場発生装置
▲２８▼  混合油循環ポンプ
▲２９▼  混合油循環配管
▲３０▼  混合油層流安定装置−１．２．３．４．５．６．
▲３１▼  混合油循環配管
▲３２▼  塩素除去装置
▲３５▼  第２混合油配管  −１．
▲３６▼  第２混合油ポンプ
▲３７▼  第２混合油特殊生成装置  −１．２．
▲３８▼  第２基油特殊生成装置  −１．２．
▲３９▼  第２空気ポンプ
▲４０▼  第２空気ポンプ
▲４１▼  第２磁場発生装置
▲４２▼  第２基油ポンプ
▲４３▼  第２基油配管
▲４４▼  第２基油タンク
▲４５▼  第２循環配管
▲４６▼  第２循環ポンプ
▲４７▼  −
▲４８▼  第２生成混合油
▲４９▼  第１生成混合油
▲５０▼  生成混合油貯留タンク
５１      第２赤外線装置
５２      第２混合油層流安定装置
【図１】
2020117674.tif 000005
【図２】
2020117674.tif 000006
【図３】
2020117674.tif 000007